(57)【要約】      （修正有）【課題】収納された媒体を容易に取り出させ得る媒体収納装置及び媒体処理装置を提供する。【解決手段】紙幣出金機のリジェクト収納庫は、収納体３１に対し蓋体を回動させて開閉可能とした上で、該収納体３１の内部を仕切板３５により前後に区切って第１収納空間３６Ｓ及び第２収納空間３７Ｓを形成した。またリジェクト収納庫には、仕切板３５に仕切板切欠部３５Ｃを設けると共に、第１底部４０に第１底部窪み４０Ｄを設けた。このためリジェクト収納庫は、紙幣出金機から取り外され、蓋体を開放状態としたときに、作業者の指を第２収納空間３７Ｓ側から仕切板切欠部３５Ｃを介して第１底部窪み４０Ｄ内に到達させ、他の指を紙幣の上側に載置させることにより、紙幣を容易に把持させ、取り出させることができる。【選択図】図５
2017151567.tif 000002
【特許請求の範囲】
【請求項１】
内部に内部空間を有し、該内部空間と外部とを連通させる連通孔を有する収納体と、
前記内部空間を、紙葉状の媒体をそれぞれ収納する第１収納空間及び第２収納空間に仕切る仕切板と、
前記収納体の前記連通孔を開放して前記第１収納空間及び前記第２収納空間を外部と連通させ、又は前記連通孔を閉塞して前記第１収納空間及び前記第２収納空間を外部から遮断する蓋体と、
前記第１収納空間の底部分に位置し、前記仕切板側を高めるように傾斜された第１底部と、
前記第１収納空間における前記仕切板と反対側に設けられ、前記媒体を外部から取り込み該第１収納空間へ放出する放出部と、
前記第１収納空間における前記仕切板よりも前記放出部側に設けられ、前記放出部から放出された前記媒体を衝突させるビルストッパと、
前記仕切板に設けられ、該仕切板の一部が前記連通孔側から切り欠かれた仕切板切欠部と、
前記第１底部における前記仕切板切欠部と連通する部分に設けられ、該第１底部よりも下方へ窪んだ第１底部窪みと
を具えることを特徴とする媒体収納装置。
【請求項２】
前記ビルストッパは、前記第１収納空間における前記仕切板よりも前記放出部側において、水平方向に離れた複数箇所に配置され、
前記第１底部窪みは、複数の前記ビルストッパの間に形成されている
ことを特徴とする請求項１に記載の媒体収納装置。
【請求項３】
前記第２収納空間の底部分に位置する第２底部と、
前記第２底部よりも上方へ突出した第２突出部と
をさらに具えることを特徴とする請求項１に記載の媒体収納装置。
【請求項４】
前記蓋体に設けられ、傾斜面に沿って前記媒体を前記第２収納空間へ案内する案内空間
をさらに具え、
前記第２突出部は、前記案内空間により前記媒体が案内される場合に進行する進行方向に沿って形成された複数のリブである
ことを特徴とする請求項３に記載の媒体収納装置。
【請求項５】
前記蓋体の外側面である蓋体外側面に形成され、前記媒体を通過させる大きさでなる取込孔と、
前記取込孔と前記第２収納空間とを連通させる案内空間と、
前記案内空間の内側面であり、前記蓋体外側面に対し傾斜され前記媒体を前記取込孔から前記第２収納空間へ進行させる傾斜面と、
前記傾斜面から前記案内空間へ向けて突出し、前記媒体の進行方向に沿って形成された傾斜面リブと、
前記取込孔を開放又は閉塞するシャッタと、
前記シャッタにおける前記取込孔を閉塞した場合に前記傾斜面と近接する傾斜近接辺に設けられ、前記取込孔を閉塞した場合に前記傾斜面リブとの干渉を回避する形状に切り欠かれたシャッタ切欠部と
をさらに具えることを特徴とする請求項１に記載の媒体収納装置。
【請求項６】
前記蓋体外側面と前記傾斜面との接続部分に設けられ、該蓋体外側面及び該傾斜面の何れからも窪んだ形状を有する接続窪みと、
前記シャッタの前記傾斜近接辺に設けられ、前記傾斜面側へ突出したシャッタ突出部と
をさらに具えることを特徴とする請求項５に記載の媒体収納装置。
【請求項７】
前記シャッタは、前記取込孔を閉塞した状態から前記蓋体外側面に沿って前記接続窪みから遠ざかる方向へスライドされることにより該取込孔を開放し、
前記接続窪みは、前記傾斜面との接続部分に、該接続窪みのうち前記蓋体外側面から最も離れた接続窪み底部よりも該蓋体外側面側へ突出した接続窪み突出部を有する
ことを特徴とする請求項６に記載の媒体収納装置。
【請求項８】
前記接続窪み突出部は、前記シャッタがスライドされる場合に前記シャッタ突出部との干渉を回避する形状に形成されている
ことを特徴とする請求項７に記載の媒体収納装置。
【請求項９】
前記シャッタ切欠部は、前記シャッタに対し前記傾斜面に近接する方向へ向かう外力が加えられた場合にも、前記傾斜面リブとの干渉を回避する形状に切り欠かれている
ことを特徴とする請求項５に記載の媒体収納装置。
【請求項１０】
利用者に引き渡すべき紙葉状の媒体を搬送する搬送部と、
前記媒体を鑑別する鑑別部と、
前記鑑別部により前記利用者に引き渡すべきと鑑別された前記媒体が集積された媒体束を所定の引渡口へ搬送し、また該引渡口から前記利用者が取り忘れた前記媒体である取忘媒体を搬送する束搬送部と、
前記鑑別部により前記利用者に引き渡すべきで無いと鑑別されたリジェクト媒体、及び前記取忘媒体を収納する媒体収納庫と
を具え、
前記媒体収納庫は、
内部に内部空間を有し、該内部空間と外部とを連通させる連通孔を有する収納体と、
前記内部空間を、前記媒体をそれぞれ収納する第１収納空間及び第２収納空間に仕切る仕切板と、
前記収納体の前記連通孔を開放して前記第１収納空間及び前記第２収納空間を外部と連通させ、又は前記連通孔を閉塞して前記第１収納空間及び前記第２収納空間を外部から遮断する蓋体と、
前記第１収納空間の底部分に位置し、前記仕切板側を高めるように傾斜された第１底部と、
前記第１収納空間における前記仕切板と反対側に設けられ、前記搬送部から前記リジェクト媒体を受け取り該第１収納空間へ放出する放出部と、
前記第１収納空間における前記仕切板よりも前記放出部側に設けられ、前記放出部から放出された前記媒体を衝突させるビルストッパと、
前記仕切板に設けられ、該仕切板の一部が前記連通孔側から切り欠かれた仕切板切欠部と、
前記第１底部における前記仕切板切欠部と連通する部分に設けられ、該第１底部よりも下方へ窪んだ第１底部窪みと
を具えることを特徴とする媒体処理装置。
【発明の詳細な説明】
【技術分野】
【０００１】
本発明は媒体収納装置及び媒体処理装置に関し、例えば媒体としての紙幣を出金する紙幣出金機に適用して好適なものである。
【背景技術】
【０００２】
従来、金融機関等で使用される紙幣出金機おいては、利用者（例えば金融機関の顧客）からの要求に応じて紙幣や硬貨等の現金を出金するものが広く普及している。
【０００３】
紙幣出金機としては、例えば紙幣を収納する紙幣収納庫と、紙幣を搬送する搬送部と、紙幣を鑑別する鑑別部と、出金可能な紙幣を集積し紙幣束とする集積部と、出金すべきで無いリジェクト紙幣を収納するリジェクト収納庫と、紙幣束を搬送する束搬送部と、利用者に紙幣束を引き渡す出金口とを有するものが提案されている（例えば、特許文献１参照）。
【先行技術文献】
【特許文献】
【０００４】
【特許文献１】特許第５１５６０９７号公報（第１図）
【発明の概要】
【発明が解決しようとする課題】
【０００５】
ところでリジェクト収納庫は、例えば束搬送部の下方に配置され、当該束搬送部と連通する取込孔が上面に形成されたものがある。紙幣出金機は、利用者が出金口から紙幣束を取り忘れた場合、この紙幣束（以下これを取忘紙幣と呼ぶ）を束搬送部により取り込み、搬送して取込孔からリジェクト収納庫内へ落下させて、当該リジェクト収納庫に収納することができる。
【０００６】
このリジェクト収納庫は、例えばその内部においてリジェクト紙幣を収納する第１収納空間と、取忘紙幣を収納する第２収納空間とを別個に設け、両収納空間の間で紙幣を移動し得ないように構成することが考えられる。この場合、このリジェクト収納庫では、リジェクト紙幣及び取忘紙幣を明確に区別して収納できるため、後から両者を仕分ける作業を行わせる必要が無い。
【０００７】
またこのリジェクト収納庫では、第１収納空間及び第２収納空間を互いに同等の高さに配置し、両収納空間の上側に開閉可能な蓋体を設けることが考えられる。この場合、このリジェクト収納庫は、蓋体を開放するだけで第１収納空間及び第２収納空間の上側を同時に開放でき、収納されている紙幣を取り出すことが可能となる。
【０００８】
しかしながらリジェクト収納庫は、紙幣出金機に対する小型化の要請等に伴い、その大きさが制限され、第１収納空間及び第２収納空間を比較的狭い構成とすることがある。この場合、リジェクト収納庫では、収納した紙幣の周囲に十分な空間を形成することができないため、作業者等による紙幣の取出作業が必ずしも容易ではない、という問題があった。
【０００９】
本発明は以上の点を考慮してなされたもので、収納された媒体を容易に取り出させ得る媒体収納装置及び媒体処理装置を提案しようとするものである。
【課題を解決するための手段】
【００１０】
かかる課題を解決するため本発明の媒体収納装置においては、内部に内部空間を有し、該内部空間と外部とを連通させる連通孔を有する収納体と、内部空間を、紙葉状の媒体をそれぞれ収納する第１収納空間及び第２収納空間に仕切る仕切板と、収納体の連通孔を開放して第１収納空間及び第２収納空間を外部と連通させ、又は連通孔を閉塞して第１収納空間及び第２収納空間を外部から遮断する蓋体と、第１収納空間の底部分に位置し、仕切板側を高めるように傾斜された第１底部と、第１収納空間における仕切板と反対側に設けられ、媒体を外部から取り込み該第１収納空間へ放出する放出部と、第１収納空間における仕切板よりも放出部側に設けられ、放出部から放出された媒体を衝突させるビルストッパと、仕切板に設けられ、該仕切板の一部が連通孔側から切り欠かれた仕切板切欠部と、第１底部における仕切板切欠部と連通する部分に設けられ、該第１底部よりも下方へ窪んだ第１底部窪みとを設けるようにした。
【００１１】
また本発明の媒体処理装置においては、利用者に引き渡すべき紙葉状の媒体を搬送する搬送部と、媒体を鑑別する鑑別部と、鑑別部により利用者に引き渡すべきと鑑別された媒体が集積された媒体束を所定の引渡口へ搬送し、また該引渡口から利用者が取り忘れた媒体である取忘媒体を搬送する束搬送部と、鑑別部により利用者に引き渡すべきで無いと鑑別されたリジェクト媒体、及び取忘媒体を収納する媒体収納庫とを設け、媒体収納庫には、内部に内部空間を有し、該内部空間と外部とを連通させる連通孔を有する収納体と、内部空間を、媒体をそれぞれ収納する第１収納空間及び第２収納空間に仕切る仕切板と、収納体の連通孔を開放して第１収納空間及び第２収納空間を外部と連通させ、又は連通孔を閉塞して第１収納空間及び第２収納空間を外部から遮断する蓋体と、第１収納空間の底部分に位置し、仕切板側を高めるように傾斜された第１底部と、第１収納空間における仕切板と反対側に設けられ、搬送部からリジェクト媒体を受け取り該第１収納空間へ放出する放出部と、第１収納空間における仕切板よりも放出部側に設けられ、放出部から放出された媒体を衝突させるビルストッパと、仕切板に設けられ、該仕切板の一部が連通孔側から切り欠かれた仕切板切欠部と、第１底部における仕切板切欠部と連通する部分に設けられ、該第１底部よりも下方へ窪んだ第１底部窪みとを設けるようにした。
【００１２】
本発明は、第１収納空間に収納された媒体を作業者に取り出させる場合、収納体に対し蓋体が開放された状態で、第２収納空間側から仕切板切欠部を介して第１底部窪みに作業者の指先を入り込ませることにより、第１底部に載置された媒体を両側から容易に把持させることができる。その上で本発明は、仕切板側から連通孔を介して媒体を外部へ引き抜かせることにより、ビルストッパ及び放出部との干渉を避けながら取り出させることができる。
【発明の効果】
【００１３】
本発明によれば、収納された媒体を容易に取り出させ得る媒体収納装置及び媒体処理装置を実現できる。
【図面の簡単な説明】
【００１４】
【図１】紙幣出金機の構成を示す略線図である。
【図２】第１の実施の形態によるリジェクト収納庫の構成を示す略線的側面図である。
【図３】リジェクト収納庫における蓋体の開放及び紙幣の収納を示す略線的側面図である。
【図４】第１の実施の形態によるリジェクト収納庫の構成を示す略線的平面図である。
【図５】第１の実施の形態によるリジェクト収納庫の構成を示す略線的斜視図である。
【図６】第１の実施の形態によるリジェクト収納庫の構成を示す略線的斜視図である。
【図７】第１の実施の形態によるリジェクト収納庫におけるシャッタの開放を示す略線図である。
【図８】第２の実施の形態によるリジェクト収納庫の構成を示す略線的側面図である。
【図９】第２の実施の形態による蓋体の構成を示す略線図である。
【図１０】第２の実施の形態による蓋体の構成を示す略線的斜視図である。
【図１１】第２の実施の形態によるシャッタの構成を示す略線的斜視図である。
【図１２】第２の実施の形態による蓋体の構成を示す略線図である。
【図１３】シャッタに外力が加えられた状態を示す略線図である。
【発明を実施するための形態】
【００１５】
以下、発明を実施するための形態（以下実施の形態とする）について、図面を用いて説明する。
【００１６】
［１．第１の実施の形態］
［１−１．紙幣出金機の構成］
図１に模式的な側面図を示すように、第１の実施の形態による紙幣出金機１は、いわゆるキャッシュディスペンサとなっており、例えば金融機関や各種商業施設等に設置され、利用者（すなわち金融機関や商業施設の顧客等）の操作に応じて、媒体としての紙幣を出金するようになっている。この紙幣出金機１は、大きく分けて下側の収納ユニット２及び上側の束搬送ユニット３により構成されており、さらに全体を制御する制御部４が組み込まれている。
【００１７】
制御部４は、図示しないＣＰＵ（Central Processing Unit）を中心に構成されており、図示しないＲＯＭ（Read Only Memory）やフラッシュメモリ等から所定のプログラムを読み出して実行することにより、出金処理等の処理を行う。また制御部４は、内部にＲＡＭ（Random Access Memory）、ハードディスクドライブやフラッシュメモリ等でなる記憶部を有しており、この記憶部に種々の情報を記憶させる。
【００１８】
以下では、紙幣出金機１のうち顧客が対峙する側を前側とし、その反対を後側とし、当該前側に対峙した顧客から見て左及び右をそれぞれ左側及び右側とし、さらに上側及び下側を定義して説明する。
【００１９】
［１−１−１．収納ユニットの構成］
収納ユニット２は、直方体状の収納筐体１０内に、紙幣に関する種々の処理を行う複数の部分が組み込まれている。この収納筐体１０内には、４個の紙幣収納庫１１、搬送部１３、鑑別部１４、切替部１５、集積部１６及びリジェクト収納庫１７が設けられている。
【００２０】
紙幣収納庫１１は、収納筐体１０の後側における上下方向の中央から下側にかけて、互いに積み重なるように取り付けられ、それぞれに対して予め定められた金種の紙幣を収納する。各紙幣は、長辺を左右方向に沿わせると共に短辺を上下方向に沿わせた姿勢で、前後方向に沿って集積された状態で収納されている。また紙幣収納庫１１の前側下部には、収納されている紙幣を１枚ずつに分離して繰り出す繰出部が設けられている。
【００２１】
搬送部１３は、図示しないローラやベルト、或いはこれらを駆動するモータ等により、紙幣を搬送する経路である搬送路を構成している。この搬送路は、図中に実線で示すように、各紙幣収納庫１１の繰出部と接続され、各紙幣収納庫１１の前側を上下方向に沿って進行し、さらに最も上方に位置する紙幣収納庫１１の上側における前後方向の中央付近まで到達するように配設されている。
【００２２】
鑑別部１４は、最も上側に位置する紙幣収納庫１１の前側に、搬送部１３の搬送路に沿って設けられている。この鑑別部１４は、内部に厚みセンサ等のセンサが組み込まれており、このセンサから得られた情報を基に、搬送される紙幣の金種や走行状態等を鑑別し、その鑑別結果を制御部４へ供給する。制御部４は、得られた鑑別結果を基に、各紙幣の搬送先を決定する。具体的に制御部４は、出金すべき正常な紙幣の搬送先を集積部１６に、搬送不良等により出金すべきで無い紙幣（以下これをリジェクト紙幣と呼ぶ）の搬送先をリジェクト収納庫１７に、それぞれ決定する。
【００２３】
切替部１５は、最も上側に位置する紙幣収納庫１１の上側における前後方向のほぼ中央に配置されており、制御部４の制御に基づき、紙幣に当接して進行方向を変化させるブレード（図中三角形で示す）の傾斜角度を変更することにより、紙幣の搬送経路を切り替える。また切替部１５は、搬送部１３により、下側の鑑別部１４、前側の集積部１６及び後側のリジェクト収納庫１７とそれぞれ接続されている。この切替部１５は、下方から搬送されてきた紙幣それぞれの進行方向を、制御部４において決定された搬送先に応じて切り替え、前側の集積部１６又は後側のリジェクト収納庫１７へ進行させる。
【００２４】
集積部１６は、収納筐体１０内における最も上側の前側に位置しており、内部に紙幣を集積する集積空間１６Ｓを形成している。この集積部１６は、集積空間１６Ｓ内に、上面に紙幣を集積するためのステージ１６Ｔを有している。
【００２５】
また集積部１６における後側上寄りには、切替部１５から搬送されてきた紙幣を集積空間１６Ｓ内へ放出する放出部が設けられている。集積部１６は、切替部１５から搬送されてきた紙幣を放出部により集積空間１６Ｓ内へ放出し、ステージ１６Ｔ上に束状に集積させていく。このため以下では、このように積み重ねられた紙幣を紙幣束Ｗとも呼ぶ。因みに紙幣束Ｗは、紙帯等により施封されたものでは無く、単純に積み重ねられている。
【００２６】
さらにステージ１６Ｔは、図示しないステージ移動機構により、上下方向へ移動することができる。また集積部１６の上面には、集積空間１６Ｓに相当する範囲に渡り、上下方向に貫通する集積孔１６Ｈが穿設されている。この集積孔１６Ｈは、収納筐体１０の上面も貫通しており、集積空間１６Ｓと収納筐体１０よりも上側の空間とを連通させている。このため集積部１６は、ステージ１６Ｔに紙幣を集積した状態で当該ステージ１６Ｔを上方へ移動させることにより、当該ステージ１６Ｔ及び集積した束状の紙幣（紙幣束Ｗ）を収納筐体１０の上面よりも上側、すなわち束搬送ユニット３の内部まで持ち上げることができる。
【００２７】
リジェクト収納庫１７は、収納筐体１０内における最も上側の後側に位置しており、内部に紙幣及び紙幣束Ｗを収納する空間を有している。リジェクト収納庫１７は、前面のやや下寄りに、紙幣を１枚ずつ通過させる通過孔１７Ｕが設けられており、また上面に取込孔１７Ｈが形成されている。このためリジェクト収納庫１７は、切替部１５から搬送され通過孔１７Ｕを通過した紙幣（すなわちリジェクト紙幣）を内部に収納することができる。またリジェクト収納庫１７は、上方に位置する束搬送ユニット３から紙幣束Ｗが落下してきた場合、この紙幣束Ｗを取込孔１７Ｈから取り込んで内部に収納することができる（詳しくは後述する）。
【００２８】
さらに紙幣収納庫１１及びリジェクト収納庫１７は、収納筐体１０に対し後方向へ引き抜かれることにより、当該収納筐体１０から取り外すことができ、また当該収納筐体１０に対し位置を合わせて前方向へ押し込まれることにより、当該収納筐体１０に装着することができる。
【００２９】
［１−１−２．束搬送ユニットの構成］
束搬送部としての束搬送ユニット３は、全体として、上下方向に短く前後方向に長い、扁平な直方体状に形成されており、その前後方向の長さが収納ユニット２よりも長くなっている。束搬送ユニット３は、直方体状の束搬送筐体２０内に組み込まれた種々の部材により、紙幣束Ｗを搬送するときに当該紙幣束Ｗが通過する経路である束搬送路３Ｙを形成している。また束搬送筐体２０の前端、すなわち束搬送路３Ｙの前端には、紙幣束Ｗを利用者に引き渡す引渡口としての出金口２６が形成されている。
【００３０】
因みに束搬送路３Ｙにおける複数の箇所、例えば出金口２６の近傍等には、それぞれ紙幣束Ｗを検知するためのセンサが設けられている。このセンサは、所定の検知光を発光する発光素子及びこの検知光を受光する受光素子の組み合わせにより構成され、当該検知光の光路を束搬送路３Ｙと交差させており、当該検知光の受光結果を制御部４に通知する。制御部４は、この受光結果を基に、束搬送路３Ｙ上における各箇所にそれぞれ紙幣束Ｗがあるか否かを判断することができる。
【００３１】
束搬送筐体２０内における上側部分には、上搬送ベルト２１が設けられている。上搬送ベルト２１は、後端近傍及び前端近傍にそれぞれ配置されたローラの周囲に掛け回されており、制御部４の制御に基づき所定のモータ（図示せず）によってローラが回転されると、その下面を前後方向に沿って走行させる。説明の都合上、以下では、上搬送ベルト２１における下面部分の走行方向を、当該上搬送ベルト２１の走行方向と見なす。
【００３２】
束搬送筐体２０内における上搬送ベルト２１の下側部分、すなわち束搬送路３Ｙを挟んで上搬送ベルト２１の反対側には、挟持搬送ガイド２２及び下搬送ベルト２４が設けられている。挟持搬送ガイド２２は、上下方向に薄い板状に形成されており、その上面を上搬送ベルト２１の下面と対向ないし当接させている。また挟持搬送ガイド２２は、収納ユニット２における収納筐体１０の上面に対し、図示しない移動機構を介して、前後方向へ移動可能に取り付けられている。この挟持搬送ガイド２２は、後方へ移動した場合、集積孔１６Ｈを開放して集積部１６内の空間と束搬送路３Ｙとを連通させる。また挟持搬送ガイド２２は、前方へ移動した場合、取込孔１７Ｈを開放しリジェクト収納庫１７内の空間と束搬送路３Ｙとを連通させる。
【００３３】
下搬送ベルト２４は、上搬送ベルト２１を前後方向に短縮したような構成となっている。この下搬送ベルト２４における上面部分は、挟持搬送ガイド２２の上面と同等に揃えられ、上搬送ベルト２１の下面と対向ないし当接している。また下搬送ベルト２４の上面は、上搬送ベルト２１の下面と同様、前後方向に走行する。説明の都合上、以下では、下搬送ベルト２４における上面部分の走行方向を、当該下搬送ベルト２４の走行方向と見なす。
【００３４】
また集積部１６のステージ１６Ｔは、挟持搬送ガイド２２が前方へ移動された状態（図１）において、上方へ移動されることにより、その上面の高さを、挟持搬送ガイド２２とほぼ同等に揃える。これによりステージ１６Ｔは、束搬送路３Ｙの一部を形成することになる。
【００３５】
ラッセル部２５は、挟持搬送ガイド２２、下搬送ベルト２４及びステージ１６Ｔの上面に沿って、紙幣束Ｗを押すことにより前後方向へ移動させる。これにより紙幣束Ｗは、各紙幣の短辺を前後方向に沿わせた姿勢で、束搬送路３Ｙに沿って前後方向へ進行することができる。
【００３６】
［１−２．リジェクト収納庫の構成］
次に、リジェクト収納庫１７の構成について説明する。図２に示すように、リジェクト収納庫１７は、下側部分を占める収納体３１と、上側部分を占める蓋体３２とが回動部３３を介して接続された構成となっている。
【００３７】
収納体３１及び蓋体３２は、何れも直方体状に形成されており、前後方向及び左右方向の長さを互いに一致させている。回動部３３は、中心軸を左右方向に向けた回動機構となっており、収納体３１における前面の上端近傍及び蓋体３２における前面の下端近傍にそれぞれ取り付けられている。この回動部３３は、収納体３１に対し蓋体３２を図の時計回りとなる矢印Ｒ１方向又はその反対の矢印Ｒ２方向へ回動させることができる。
【００３８】
すなわちリジェクト収納庫１７は、図２に示すように収納体３１の真上に蓋体３２を重ねた状態（以下これを閉塞状態と呼ぶ）から収納体３１を矢印Ｒ１方向へ回動させることにより、図３に示すように収納体３１の前上方に蓋体３２を位置させた状態（以下これを開放状態と呼ぶ）に遷移することができる。またリジェクト収納庫１７は、開放状態（図３）から蓋体３２が矢印Ｒ２方向へ回動されることにより、当該蓋体３２を収納体３１の真上に重ねた閉塞状態（図２）に戻ることができる。このとき蓋体３２は、収納体３１の内部を外部から遮断することになる。
【００３９】
また収納体３１の後面には、鍵Ｋ１により施錠又は解錠される錠３４が設けられている。この錠３４は、蓋体３２が閉塞状態であるときに施錠されると、この閉塞状態を維持して開放状態への遷移を禁止する。また錠３４は、鍵Ｋ１により解錠されると、蓋体３２の開放状態への遷移を許容する。
【００４０】
収納体３１は、中空の直方体状に形成されると共に、その上側に内部の内部空間と外部とを連通させる連通孔３１Ｈ（図４）が形成されている。収納体３１の内部空間は、前後方向のほぼ中央に位置する板状の仕切板３５により、前側の第１収納部３６と、後側の第２収納部３７とに区切られている。この第１収納部３６及び第２収納部３７は、何れも内部に紙幣を収納する第１収納空間３６Ｓ及び第２収納空間３７Ｓが形成されており、またその上側が開放されている。
【００４１】
第１収納部３６の底部分に位置する第１底部４０は、前側が低く後側（すなわち仕切板３５側）が高くなるよう傾斜されている。この第１底部４０は、平坦な傾斜面として形成されているものの、後側における仕切板３５の近傍部分のみ、ほぼ水平な平面として形成されている。
【００４２】
収納体３１の前面、すなわち第１収納部３６の前面である第１前部４１には、上述したように切替部１５（図１）から搬送されてくる紙幣を通過させるための通過孔１７Ｕが形成されている。また第１前部４１内における通過孔１７Ｕの後方には、放出部５０が設けられている。この放出部５０は、駆動ローラ５１及び従動ローラ５２により構成されている。
【００４３】
駆動ローラ５１は、中心軸を左右方向に向けた短い円柱状に形成されており、図示しない駆動源から駆動力が伝達されることにより、矢印Ｒ２方向へ回転する。因みに放出部５０には、複数の駆動ローラ５１が、左右方向に並べて配置されている。この駆動ローラ５１は、それぞれの上端が通過孔１７Ｕとほぼ同等となるように、その高さが調整されている。
【００４４】
従動ローラ５２は、駆動ローラ５１と同様に中心軸を左右方向に向けた短い円柱状に形成されており、自在に回転するようになっている。因みに放出部５０には、駆動ローラ５１と同数の従動ローラ５２が、各駆動ローラ５１とそれぞれ対応する位置に、左右方向に並べて配置されている。この従動ローラ５２は、図示しないばねにより駆動ローラ５１に押し付けられており、駆動ローラ５１から駆動力が伝達されることにより、矢印Ｒ１方向に回転する。
【００４５】
また第１前部４１内、すなわち第１収納空間３６Ｓの前側には、舌片ローラ５３が設けられている。舌片ローラ５３は、駆動ローラ５１よりも半径が小さい円柱状でなる中心部に対して、放射方向に沿って細長く形成された弾性体でなる複数の舌片部が取り付けられた構成となっている。この舌片ローラ５３は、中心部が駆動ローラ５１の中心軸に取り付けられており、駆動ローラ５１と同様に矢印Ｒ２方向へ回転する。
【００４６】
さらに、第１収納部３６の後側、すなわち仕切板３５の前側には、図４に平面図を示すように、左右の中心位置から左右方向へ（すなわち水平方向へ）それぞれ離れた箇所に、直方体状の支持柱５４がそれぞれ立設されている。この支持柱５４は、後側が仕切板３５の前側と連結されており、前面にビルストッパ５５が形成されている。ビルストッパ５５は、中心軸を左右方向に沿わせた小さな三角柱を上下方向に沿って複数並べたような形状となっており、その前面が左右方向から見て鋸歯状となっている（図２）。
【００４７】
かかる構成により第１収納部３６は、放出部５０の駆動ローラ５１及び従動ローラ５２をそれぞれ矢印Ｒ２方向及び矢印Ｒ１方向へ回転させた状態で、通過孔１７Ｕを介して紙幣を受け取ると、この紙幣を挟持して後方へ進行させ、第１収納空間３６Ｓ内へ放出する。放出された紙幣は、仕切板３５の前側に設けられたビルストッパ５５に衝突することにより、後端（すなわち進行方向側の端部）を上方又は下方へ滑らせること無く、ほぼ水平に沿った姿勢を維持する。
【００４８】
続いて舌片ローラ５３は、回転する舌片部により紙幣の前端近傍を下方へ、すなわち第１底部４０又は該第１底部４０上に既に集積されている他の紙幣の上側へ向けて叩き付ける。さらに舌片ローラ５３は、回転する舌片部と紙幣との間に摩擦力を作用させることにより、該紙幣を前方へ、すなわち第１前部４１側へ引き寄せる。かくして第１収納部３６は、図３に示したように、第１収納空間３６Ｓ内において、第１底部４０上における第１前部４１側に寄せられた位置に、紙幣を整然と集積させることができる。
【００４９】
因みに第１収納部３６では、紙幣の進行方向に沿った長さ、すなわち短辺の長さから例えば１０〜２０［ｍｍ］程度長くなるように、放出部５０からビルストッパ５５までの距離が定められている。これにより第１収納部３６では、紙幣がビルストッパ５５に衝突した状態において、舌片ローラ５３によりこの紙幣の前端近傍を確実に叩き付け、整然と集積することができる。
【００５０】
また第１収納部３６では、仮に放出部５０から放出された紙幣に左右の一方が他方よりも先行するように傾き（いわゆるスキュー）を有していた場合、該紙幣の先端側における中央付近がビルストッパ５５に当接する前に、先行している先端が先に仕切板３５に衝突してしまう恐れがある。この場合、第１収納部３６は、この紙幣の先端を上方向又は下方向へ滑らせてしまい、舌片ローラ５３がこの紙幣に届かないために叩き付けることができず、整然と集積できない可能性がある。
【００５１】
この点を踏まえて第１収納部３６では、仕切板３５よりも放出部５０に近い箇所、すなわち該仕切板３５よりも前側にビルストッパ５５を配置した。これにより第１収納部３６では、紙幣にある程度のスキューが発生していたとしても、該紙幣の先端を仕切板３５に当接させる前にビルストッパ５５に当接させて、上方向又は下方向へ滑らせることを未然に防止し、舌片ローラ５３により下方へ叩き付けることができる。
【００５２】
また第１収納部３６には、第１前部４１の後側における上端近傍から後方へ向けて、第１上保護部４２が設けられている。この第１上保護部４２は、放出部５０の各ローラを上側から保護している。
【００５３】
さらに第１収納部３６には、図２及び図４に加えて図５及び図６に斜視図を示すように、第１底部４０に第１底部窪み４０Ｄが設けられると共に、仕切板３５に仕切板切欠部３５Ｃが設けられている。第１底部窪み４０Ｄは、２本の支持柱５４の間、すなわち２個のビルストッパ５５の間において、第１底部４０のうち仕切板３５と当接する後端から中央付近までの範囲に渡って形成されている。
【００５４】
この第１底部窪み４０Ｄは、第２収納部３７における第２底部４６よりも高い部分がえぐり取られたような、若しくは該第２底部４６と同等の高さまで下方へ凹んだような、窪んだ形状ないし幅広の溝形状となっている。また第１底部窪み４０Ｄにおける前端部分は、第１底部４０上における第１前部４１側に寄った位置に収納された紙幣（図３）の後端よりも前側に到達するよう、その位置が定められている。すなわち第１収納部３６は、図３に示したように、第１底部４０上に紙幣が集積された場合、その一部を第１底部窪み４０Ｄの上側に位置させることになる。
【００５５】
仕切板切欠部３５Ｃは、２本の支持柱５４の間において、その一部が上側から下端近傍までの範囲において切り欠かれたような形状となっている。すなわち仕切板切欠部３５Ｃは、その下端近傍において、第１底部窪み４０Ｄと連接されている。このため第１収納部３６は、第２収納部３７側から仕切板切欠部３５Ｃを介して人の指先等を第１底部窪み４０Ｄに到達させることにより、この指先等を第１底部４０の上面、すなわち第１収納空間３６Ｓの底面よりも下側に到達させることができる。
【００５６】
第２収納部３７の底部分に位置する第２底部４６は、傾斜を有さず平坦に形成されているものの、複数の第２底部リブ４７が設けられている。第２突出部としての第２底部リブ４７は、第２底部４６から上方へ突出しており、また図４に示したように、前後方向に沿った直線状に形成され、左右方向に所定間隔ごとに配置されている。因みに第２底部リブ４７における上下方向の長さは、例えば２〜８［ｍｍ］程度となっている。
【００５７】
蓋体３２は、全体的として周囲が閉塞された直方体状に形成されており、蓋体外側面としての蓋体上面６１における中央よりも前側に、取込孔１７Ｈが形成されている。また蓋体３２の内部には、この取込孔１７Ｈと、閉塞状態（図２）であるときに該取込孔１７Ｈの後下方に位置する第２収納空間３７Ｓとを結ぶ内側面として、斜め方向に沿った案内空間６２が形成されている。この案内空間６２の前下側には、傾斜面６３が形成されている。この傾斜面６３は、蓋体上面６１に対して後側を下降させるよう傾斜された平面であり、閉塞状態（図２）において、その下端が仕切板３５の後面とほぼ同等又は該仕切板３５の後面よりもやや後側に位置している。
【００５８】
さらに蓋体３２の上面近傍には、シャッタ７０が設けられている。シャッタ７０は、上下方向に薄い板状に形成されており、前後方向及び左右方向の長さが取込孔１７Ｈよりもそれぞれ大きくなっている。このシャッタ７０は、前後方向へ移動可能に構成されている。すなわちシャッタ７０は、前方へ移動された場合には、図２に示したように取込孔１７Ｈを閉塞し、前方へ移動された場合には、図７に示すように、取込孔１７Ｈを開放する。
【００５９】
このシャッタ７０は、収納ユニット２の収納筐体１０に対するリジェクト収納庫１７の着脱と連動して開閉するようになっている。すなわちシャッタ７０は、収納筐体１０（図１）にリジェクト収納庫１７が装着されるときに、後方へ移動されて取込孔１７Ｈを開放する。またシャッタ７０は、収納筐体１０からリジェクト収納庫１７が取り外されるときに、前方へ移動されて取込孔１７Ｈを閉塞する。
【００６０】
また蓋体３２には、収納ユニット２の収納筐体１０に対するリジェクト収納庫１７の着脱と連動してシャッタ７０をロックし、或いはそのロックを解除するロック機構（図示せず）が組み込まれている。このロック機構は、リジェクト収納庫１７が収納筐体１０から取り外されてシャッタ７０が前方へ移動されて取込孔１７Ｈを閉塞すると、該シャッタ７０の位置をロックする。またこのロック機構は、リジェクト収納庫１７が収納筐体１０に装着されるときに、このロックを解除してシャッタ７０を移動させ得るようにする。
【００６１】
このためリジェクト収納庫１７は、収納筐体１０から取り外されてシャッタ７０により取込孔１７Ｈを閉塞している状態であれば、ロック機構により該シャッタ７０をロックしているため、手作業により該シャッタ７０を後方へ移動すること、すなわち取込孔１７Ｈを開放することが極めて困難となる。
【００６２】
［１−３．出金動作及び取込動作］
紙幣出金機１（図１）は、図示しない操作部により利用者から出金の指示及び出金額を受け付けると、出金動作を開始する。具体的に紙幣出金機１の制御部４は、紙幣収納庫１１から出金額に応じた金種及び枚数の紙幣を順次繰り出させ、当該紙幣の短辺に沿った方向を進行方向として搬送部１３により上方へ搬送し、鑑別部１４により鑑別させる。このとき制御部４は、鑑別部１４から得られる鑑別結果を基に、紙幣が出金可能であるか否かに応じて、その搬送先を集積部１６又はリジェクト収納庫１７に決定する。
【００６３】
続いて制御部４は、鑑別部１４により鑑別された紙幣を、搬送部１３により後方及び上方へ搬送して切替部１５に到達させる。切替部１５は、制御部４の制御に基づき、紙幣それぞれについて決定された搬送先に応じて進行方向を切り替え、集積部１６又はリジェクト収納庫１７へ進行させる。リジェクト収納庫１７（図２）は、切替部１５（図１）から搬送されてきた紙幣（すなわちリジェクト紙幣）を通過孔１７Ｕから内部に取り込み、放出部５０により第１収納空間３６Ｓ内へ放出して第１底部４０上に集積させる。
【００６４】
集積部１６は、搬送されてきた紙幣を放出部により集積空間１６Ｓ内へ放出し、ステージ１６Ｔ上に集積させる。制御部４は、搬送先を集積部１６とした紙幣、すなわち集積部１６に集積した紙幣の金種及び枚数を逐次集計しており、集計した金額が出金額に到達した段階で、紙幣収納庫１１からの紙幣の繰出を中止する。この結果、集積部１６のステージ１６Ｔ上には、出金額の紙幣が束状に集積された紙幣束Ｗが載置される。
【００６５】
次に制御部４は、挟持搬送ガイド２２を後方へ移動させることにより集積部１６の集積孔１６Ｈを開放すると共に取込孔１７Ｈを閉塞してから、ステージ１６Ｔを上方へ移動させることにより、紙幣束Ｗを持ち上げて束搬送路３Ｙ内に位置させる。さらに制御部４は、上搬送ベルト２１を前方へ走行させると共にラッセル部２５を前方へ移動させることにより、紙幣束Ｗを束搬送路３Ｙに沿って前方へ進行させていく。このとき制御部４は、紙幣束Ｗが下搬送ベルト２４の上面に当接する位置に到達すると、上搬送ベルト２１及び当該下搬送ベルト２４により当該紙幣束Ｗを上下から挟持し、両ベルトの走行により前方へ搬送させる。
【００６６】
やがて制御部４は、図示しないセンサからの通知を基に紙幣束Ｗが出金口２６に到達したことを検知すると、上搬送ベルト２１及び下搬送ベルト２４の走行を停止させる。さらに制御部４は、ラッセル部２５を束搬送路３Ｙの前端近傍へ到達させることにより、退避機構（図示せず）によって束搬送路３Ｙの上方に退避させる。
【００６７】
このように制御部４は、出金口２６から紙幣束Ｗの一部を露出させ、且つ上搬送ベルト２１及び下搬送ベルト２４により当該紙幣束Ｗの後端近傍を挟持した状態として、出金動作を終了する。これにより紙幣出金機１は、利用者にこの紙幣束Ｗを取り出させることができる。
【００６８】
ここで制御部４は、センサ（図示せず）からの通知を基に、出金口２６から紙幣束Ｗが取り出されたか否かを監視している。そこで所定の待機時間（例えば３０秒間）が経過しても紙幣束Ｗが取り出されなかった場合、制御部４は、紙幣束Ｗの取り忘れが発生したものと見なし、この紙幣束Ｗを取り込む取込動作を開始する。以下、このように利用者が取り忘れた紙幣を取忘紙幣若しくはリトラクト紙幣とも呼ぶ。
【００６９】
具体的に制御部４は、ラッセル部２５を上方へ退避させた状態のまま上搬送ベルト２１及び下搬送ベルト２４を後方へ走行させることにより、紙幣束Ｗを束搬送路３Ｙ内に取り込み、当該束搬送路３Ｙに沿って後方へ進行させていく。このとき制御部４は、図示しないセンサにより紙幣束Ｗがラッセル部２５よりも後方に到達したことを検知すると、当該ラッセル部２５を後方へ移動させ紙幣束Ｗの前側で束搬送路３Ｙ内へ復帰させてから、さらに後方へ移動させることにより、紙幣束Ｗの後方への搬送を補助する。
【００７０】
やがて制御部４は、紙幣束Ｗが取込孔１７Ｈの上方に到達すると、この紙幣束Ｗを束搬送路３Ｙから落下させる。これにより紙幣束Ｗは、束搬送路３Ｙから僅かに下方へ下降した段階で、取込孔１７Ｈからリジェクト収納庫１７内へ入り込む。リジェクト収納庫１７内において紙幣束Ｗは、その下面を傾斜面６３に当接させて摺動しながら、案内空間６２内を後下方へ下降し、やがて第２収納空間３７Ｓに到達すると、第２底部４６に複数設けられた第２底部リブ４７に下側から支持された状態で収納される。
【００７１】
このようにリジェクト収納庫１７は、リジェクト紙幣を通過孔１７Ｕから取り込んで第１収納空間３６Ｓに収納すると共に、利用者が取り忘れた紙幣束Ｗ（すなわち取忘紙幣の束）を取込孔１７Ｈから取り込み、案内空間６２内を傾斜面６３に沿って下降させ第２収納空間３７Ｓに到達させて収納する。
【００７２】
［１−４．効果等］
以上の構成において、第１の実施の形態による紙幣出金機１のリジェクト収納庫１７は、収納体３１の内部を仕切板３５により前後に区切って第１収納空間３６Ｓ及び第２収納空間３７Ｓを形成し、蓋体３２を回動させて開放状態とした場合に、該第１収納空間３６Ｓ及び該第２収納空間３７Ｓの上側を何れも開放させるようにした。
【００７３】
このためリジェクト収納庫１７は、紙幣出金機１から取り出された状態で、蓋体３２を開放状態とするだけで、該第１収納空間３６Ｓ及び該第２収納空間３７Ｓの何れからも、収納された紙幣を容易に取り出させることができる。
【００７４】
ところで第１収納部３６は、舌片ローラ５３の回転により紙幣を下方へ叩き付けると共に前方へ引き寄せること、及び第１底部４０が傾斜していることにより、紙幣を第１前部４１側に引き寄せた状態で集積する。また第１収納部３６には、蓋体３２が開放状態にあるときに放出部５０の舌片ローラ５３を保護する等の観点から、第１前部４１における後側の上端近傍に第１上保護部４２が形成されている。また第１収納部３６では、ビルストッパ５５に衝突した紙幣を舌片ローラ５３により叩き付ける必要性から、放出部５０から該ビルストッパ５５までの距離をむやみに広げることができない。
【００７５】
このため第１収納部３６では、第１収納空間３６Ｓにおける開口部分の大きさが比較的小さく、特に前後方向の長さが比較的短くなっている。例えば作業者が第１収納部３６に収納された紙幣を取り出す場合、集積された紙幣の後側から下側に指先を差し入れ、この紙幣の上側に他の指を載せて挟持し、上方へ引き上げる、といった操作が想定される。このような取出作業は、特に開口部分における前後方向の長さが短い場合、作業者にとって容易ではない。
【００７６】
この点を踏まえてリジェクト収納庫１７は、仕切板３５に仕切板切欠部３５Ｃを設けると共に、第１底部４０に第１底部窪み４０Ｄを設けた（図５、図６）。このため作業者は、第１収納空間３６Ｓに収納された紙幣を取り出す場合、例えば親指を第２収納空間３７Ｓ側から仕切板切欠部３５Ｃを介して第１底部窪み４０Ｄ内に到達させると共に、残りの指を紙幣の上側に載せることにより、紙幣を上下から挟むようにして容易に把持できる。この状態で作業者は、紙幣の後側を上方へ持ち上げるようにして第１収納空間３６Ｓの開口部分を通過させることにより、該紙幣を第１上保護部４２等に引っ掛けること無く、容易に外部へ取り出すことができる。
【００７７】
すなわちリジェクト収納庫１７は、仕切板切欠部３５Ｃ及び第１底部窪み４０Ｄを設けたことにより、仕切板３５により第１収納空間３６Ｓ及び第２収納空間３７Ｓを仕切ってリジェクト紙幣と取忘紙幣とを別個に収納しながら、作業者に対し、第１収納空間３６Ｓ内の紙幣を容易に把持させて、外部へ容易に取り出させることができる。
【００７８】
またリジェクト収納庫１７は、左右方向に関して第１収納部３６における２本の支持柱５４の間、すなわち２個のビルストッパ５５の間に相当する位置に、仕切板切欠部３５Ｃ及び第１底部窪み４０Ｄを設けた（図４〜図６）。このためリジェクト収納庫１７は、放出部５０から放出された紙幣がスキューしていた場合であっても、その頂点を仕切板切欠部３５Ｃにおける左右の側辺部分に引っ掛けさせる恐れが無い。またリジェクト収納庫１７は、放出部５０から放出された紙幣の位置が左右方向へ偏っていたとしても、左右の側辺を第１底部窪み４０Ｄと第１底部４０との接続部分に位置する稜線に引っ掛けさせる恐れも無い。
【００７９】
さらにリジェクト収納庫１７は、第１収納部３６の第１底部４０を、放出部５０に近い前側を低く、仕切板３５に近い後側を高くした傾斜面とした（図２）。このためリジェクト収納庫１７は、紙幣出金機１に装填された状態において、放出部５０から放出され舌片ローラ５３により下方へ叩き付けられ、且つ前方の第１前部４１側へ引き寄せた紙幣を、そのまま第１前部４１側に偏った状態で集積することができる。
【００８０】
これに加えてリジェクト収納庫１７は、第２収納部３７において、第２底部４６上に第２底部リブ４７を設けた（図２、図４、図５及び図６）。リジェクト収納庫１７は、束搬送路３Ｙから紙幣束Ｗが落下されると、この紙幣束Ｗを取込孔１７Ｈから取り込んで傾斜面６３に沿って摺動させた後、第２収納空間３７Ｓ内に落下させて第２底部リブ４７により支持した状態となる（図３）。すなわちリジェクト収納庫１７は、第２底部リブ４７により、第２収納空間３７Ｓに収納された紙幣（紙幣束Ｗ）の最下面を、第２底部４６から引き離した状態で支持することができる。
【００８１】
このため作業者は、第２収納空間３７Ｓ内に収納された紙幣を取り出す場合、例えば指先を第２底部４６に摺動させながら該紙幣の側面（例えば前側）に近づけて当接させることにより、この指先を最も下側に集積された紙幣の端辺に引っ掛けることができ、さらに他の指との間に全ての紙幣を把持して容易に持ち上げることができる。
【００８２】
ところでリジェクト収納庫１７では、紙幣出金機１（図１）に装填された状態において、束搬送路３Ｙから落下され傾斜面６３に沿って後下方向へ摺動する紙幣束Ｗが第２収納空間３７Ｓ内に到達した場合、この紙幣束Ｗに後下方向へ向かう慣性力が作用している。このため紙幣束Ｗは、第２底部リブ４７上に落下した時点においても、引き続き後方へ向かう慣性力が作用し、後方へ進行しようとする。ここで、仮に第２底部リブ４７が左右方向に沿った直線状や離散的に配置された突起状等、その上面が前後方向に不連続な形状であった場合、紙幣束Ｗの後端を該第２底部リブ４７に引っ掛けさせ、例えば前端側を上方へ持ち上げるように回転する等して、この紙幣束Ｗを整然と集積できない恐れがある。
【００８３】
この点において本実施の形態によるリジェクト収納庫１７は、第２底部リブ４７を前後方向に沿った直線状に、換言すれば紙幣束Ｗが落下後に進行しようとする後方向に沿った直線状に形成した（図４〜図６）。このため第２底部リブ４７は、傾斜面６３により後方向への慣性力が与えられた状態で落下してきた紙幣束Ｗに対し、その後端（すなわち先端）等を引っ掛けること無く、そのまま後方向へ摺動させることができる。その後、第２底部リブ４７は、この紙幣を摩擦によりやがて停止させ、或いは第２収納部３７の後側面に当接した段階で停止させることにより、集積された状態を崩すこと無く保持できる。
【００８４】
以上の構成によれば、第１の実施の形態による紙幣出金機１のリジェクト収納庫１７は、収納体３１に対し蓋体３２を回動させて開閉可能とした上で、該収納体３１の内部を仕切板３５により前後に区切って第１収納空間３６Ｓ及び第２収納空間３７Ｓを形成した。またリジェクト収納庫１７には、仕切板３５に仕切板切欠部３５Ｃを設けると共に、第１底部４０に第１底部窪み４０Ｄを設けた。このためリジェクト収納庫１７は、紙幣出金機１から取り外され、蓋体３２を開放状態としたときに、作業者の指を第２収納空間３７Ｓ側から仕切板切欠部３５Ｃを介して第１底部窪み４０Ｄ内に到達させ、他の指を紙幣の上側に載置させることにより、紙幣を容易に把持させ、取り出させることができる。
【００８５】
［２．第２の実施の形態］
第２の実施の形態による紙幣出金機１０１（図１）は、第１の実施の形態による紙幣出金機１と比較して、リジェクト収納庫１７に代わるリジェクト収納庫１１７を有する点において相違するものの、他の点については同様に構成されている。
【００８６】
［２−１．リジェクト庫の構成］
リジェクト収納庫１１７は、図２と対応する図８に示すように、第１の実施の形態によるリジェクト収納庫１７と同様の構成でなる収納体３１を有し、取込孔１７Ｈ及び通過孔１７Ｕとそれぞれ対応する取込孔１１７Ｈ及び通過孔１１７Ｕを有している。その一方でリジェクト収納庫１１７は、蓋体３２に代わる蓋体１３２を有している。蓋体１３２は、蓋体３２と比較して、蓋体上面６１、傾斜面６３及びシャッタ７０に代わる蓋体上面１６１、傾斜面１６３及びシャッタ１７０を有しているものの、案内空間６２については同様に構成されている。
【００８７】
図９（Ａ）及び（Ｂ）に模式的な側面図及び平面図を示すと共に、図１０に模式的な斜視図を示すように、蓋体１３２における蓋体上面１６１と傾斜面１６３との接続部分には、接続窪み１６５が設けられている。因みに図９（Ａ）及び（Ｂ）並びに図１０は、シャッタ１７０が後方へ移動されて取込孔１１７Ｈを開放した状態を表している。
【００８８】
接続窪み１６５は、蓋体上面１６１から下方へ窪むと共に傾斜面１６３からも前下方向へ、すなわち該傾斜面１６３と直交する方向へ窪んだ形状となっている。また接続窪み１６５は、蓋体上面１６１とほぼ平行な平面である接続窪み底部１６６と、該接続窪み底部１６６の後側に位置し該接続窪み底部１６６よりも上方へ、すなわち蓋体上面１６１側へ突出した接続窪み突出部１６７とにより構成されている。
【００８９】
傾斜面１６３における左右方向に互いに所定間隔ずつ離れた複数の箇所には、該傾斜面１６３上において紙幣束Ｗを滑らかに摺動させるための傾斜面リブ１６８がそれぞれ設けられている。傾斜面リブ１６８は、傾斜面１６３から後上方向へ所定の長さだけ突出しており、前上側と後下側とを結ぶ斜め方向に沿った直線状に形成されている。因みにこの斜め方向は、紙幣出金機１０１に装着された状態で、束搬送路３Ｙから落下された紙幣束Ｗを摺動させながら進行させる方向と一致している。
【００９０】
傾斜面リブ１６８は、傾斜面１６３の前側において、接続窪み１６５を横切り、蓋体上面１６１に到達している。傾斜面リブ１６８は、その上面を、傾斜面１６３側から接続窪み１６５を横切り、さらに蓋体上面１６１よりも上側に到達するまで、該傾斜面１６３に沿った箇所から連続した一直線状に形成している。すなわち傾斜面リブ１６８は、前上側において、その一部を接続窪み１６５及び蓋体上面１６１から上方へ突出させたような形状となっている。
【００９１】
因みに接続窪み１６５の接続窪み底部１６６及び接続窪み突出部１６７は、傾斜面リブ１６８が形成された箇所を除いて、左右方向の位置に拘わらず同等の形状に構成されている。すなわち、接続窪み底部１６６の高さ及び接続窪み突出部１６７における頂上部分の高さは、それぞれ左右方向の位置に拘わらず一定となっている。
【００９２】
図１１に模式的な斜視図を示すように、シャッタ１７０は、左右方向に長く上下方向に薄い長方形の板状でなる本体部１７１を中心に構成されている。本体部１７１は、例えば所定の厚さを有する鋼板でなり、十分な強度を有している。本体部１７１の前端には、下方へ向けてシャッタ突出部１７２が垂設されている。
【００９３】
またシャッタ１７０の前端であるシャッタ前辺１７０Ｆの近傍には、傾斜面１６３の傾斜面リブ１６８とそれぞれ対応する複数箇所に、シャッタ突出部１７２を貫通して本体部１７１の前端から後方へ切り欠かれたシャッタ切欠部１７３が形成されている。このシャッタ切欠部１７３の後辺であるシャッタ切欠部後辺１７３Ｒは、シャッタ前辺１７０Ｆから所定の距離Ｌ１だけ後側に位置している。
【００９４】
このシャッタ１７０は、第１の実施の形態によるシャッタ７０と同様、収納ユニット２（図１）の収納筐体１０に対するリジェクト収納庫１１７の着脱と連動して移動され、さらに収納筐体１０から取り外されて取込孔１７Ｈを閉塞している状態において、図示しないロック機構によりロックされる。因みにシャッタ１７０は、蓋体上面１６１よりも下側、すなわち蓋体上面１６１を形成する板状部材の直下において、前後方向へスライドするようになっている。
【００９５】
図９（Ａ）及び（Ｂ）と対応する図１２（Ａ）及び（Ｂ）に示すように、蓋体１３２は、シャッタ１７０を前方へ移動させることにより、シャッタ突出部１７２が設けられた前端側を傾斜面１６３に近接させ、取込孔１１７Ｈを閉塞する。説明の都合上、以下ではシャッタ１７０における前端側の辺を傾斜近接辺とも呼ぶ。
【００９６】
このときシャッタ１７０は、シャッタ突出部１７２を接続窪み底部１６６の上側、すなわち接続窪み１６５及び蓋体上面１６１の境界付近に位置させると共に、各シャッタ切欠部１７３内に各傾斜面リブ１６８を入り込ませる。また蓋体１３２は、シャッタ切欠部１７３のシャッタ切欠部後辺１７３Ｒを、傾斜面リブ１６８における該シャッタ切欠部後辺１７３Ｒの真下に位置する傾斜面リブ基準点１６８Ｐから距離Ｌ２だけ引き離しており、両者を当接させていない。またこの距離Ｌ２は、シャッタ突出部１７２の下端から接続窪み底部１６６までの距離Ｌ３よりも大きく（長く）なっている。
【００９７】
因みにシャッタ１７０は、シャッタ突出部１７２における上下方向の長さが適切に設定されることにより、取込孔１１７Ｈを閉塞したときや開閉のために移動（すなわちスライド）されるときの何れにおいても、該シャッタ突出部１７２の下端を接続窪み突出部１６７の上端よりも高く位置させている。これを換言すれば、接続窪み底部１６６から接続窪み突出部１６７の上端までの突出距離は、上述した距離Ｌ３よりも小さくなっている。このためシャッタ１７０は、シャッタ突出部１７２を接続窪み突出部１６７と干渉させること無く、蓋体上面１６１に対し円滑にスライドすることができる。
【００９８】
ところでシャッタ１７０は、取込孔１１７Ｈを閉塞した状態において、下方向へ向かう外力Ｆ１が加えられると、図１３に示すように、距離Ｌ３（図１２）だけ下方へ移動し、シャッタ突出部１７２の下端を接続窪み底部１６６に当接させた状態となる。このときシャッタ突出部１７２の下端は、接続窪み突出部１６７の上端よりも低い位置にある。この状態においてシャッタ１７０は、仮に後方向へ向かう外力Ｆ２が加えられた場合、シャッタ突出部１７２が接続窪み突出部１６７に当接した段階で、それ以上後方向へ進行できなくなるため、取込孔１１７Ｈを閉塞した状態を維持できる。
【００９９】
またシャッタ１７０は、シャッタ切欠部１７３における前後方向の長さＬ１（図１１）が適切に設定されているため、この図１３に示した状態において、シャッタ切欠部後辺１７３Ｒを傾斜面リブ基準点１６８Ｐから距離Ｌ４だけ上側に位置させ、傾斜面リブ１６８と当接させない状態を維持する。この距離Ｌ４は、上述した距離Ｌ２（図１２）から距離Ｌ３を差し引いた距離となる。
【０１００】
［２−２．効果等］
以上の構成において、第２の実施の形態による紙幣出金機１０１のリジェクト収納庫１１７は、蓋体１３２の傾斜面１６３に傾斜面リブ１６８を設けると共に、シャッタ１７０にシャッタ切欠部１７３を設けた（図９〜図１１）。これによりリジェクト収納庫１１７は、シャッタ１７０を前方へ移動させて取込孔１１７Ｈを閉塞したときに、その前端部分を接続窪み１６５及び蓋体上面１６１の境界付近に位置させると共に、各シャッタ切欠部１７３内に各傾斜面リブ１６８を入り込ませることができる（図１２）。
【０１０１】
すなわちリジェクト収納庫１１７は、シャッタ１７０により取込孔１１７Ｈを閉塞した場合、あたかもその前端部分と傾斜面リブ１６８とを互いに噛み合わせたような状態となる。これによりリジェクト収納庫１１７は、第２収納空間３７Ｓに収納されている紙幣が傾斜面１６３及びシャッタ１７０の隙間から不正に取り出されることを未然に防止できる。
【０１０２】
またリジェクト収納庫１１７は、蓋体上面１６１及び傾斜面１６３の接続部分に下方へ窪んだ接続窪み１６５を設け、この接続窪み１６５に蓋体上面１６１と平行な接続窪み底部１６６を設けた（図９、図１０）。これと共にリジェクト収納庫１１７は、シャッタ１７０の前端に下方へ向けて突出したシャッタ突出部１７２を設けた（図１１）。またリジェクト収納庫１１７は、シャッタ切欠部１７３を所定の距離Ｌ１だけ切り欠いた形状とし、取込孔１１７Ｈを閉塞したときに（図１２）、シャッタ切欠部後辺１７３Ｒを傾斜面リブ基準点１６８Ｐから距離Ｌ２だけ上側に位置させるようにした。
【０１０３】
これによりリジェクト収納庫１１７は、取込孔１１７Ｈを閉塞しているシャッタ１７０に対し下方向へ向かう外力Ｆ１（図１３）が加えられた場合に、距離Ｌ３だけ下方へ移動するものの、シャッタ突出部１７２の下端を接続窪み底部１６６に当接させた段階で静止し、それ以上下方へ移動しない。このときリジェクト収納庫１１７は、シャッタ突出部１７２を傾斜面１６３に当接させず、またシャッタ切欠部後辺１７３Ｒを傾斜面リブ１６８に当接させることも無い。すなわちリジェクト収納庫１１７は、シャッタ１７０により傾斜面１６３及び傾斜面リブ１６８を何れも傷つけることが無いため、紙幣束Ｗの円滑な摺動を妨げることが無い。
【０１０４】
さらにリジェクト収納庫１１７は、接続窪み１６５における接続窪み底部１６６の後側に、該接続窪み底部１６６よりも上方へ突出した接続窪み突出部１６７を設けた。これによりリジェクト収納庫１１７は、シャッタ１７０に対し下方向へ向かう外力Ｆ１（図１３）が加えられた状態で、さらに後方へ向かう外力Ｆ２が加えられたとしても、シャッタ突出部１７２が接続窪み突出部１６７と干渉することに、すなわち引っ掛かることになる。このため、リジェクト収納庫１１７は、シャッタ１７０に対し外力Ｆ１及びＦ２が加えられたとしても、該シャッタ１７０が後方へ移動されること、すなわち取込孔１１７Ｈを開放してしまうことを回避できる。
【０１０５】
すなわちリジェクト収納庫１１７は、紙幣出金機１０１から取り出された状態において、取込孔１１７Ｈをシャッタ１７０によって閉塞することにより、第２収納空間３７Ｓ内に収納された紙幣（紙幣束Ｗ）が不正に取り出されることを防止している。このリジェクト収納庫１１７に対し、悪意を持った者が取込孔１１７Ｈを開放して紙幣を不正に取得しようとした場合、シャッタ１７０を後方へスライドさせようとすることが想定される。
【０１０６】
ここでリジェクト収納庫１１７では、蓋体上面１６１の直下をスライドするシャッタ１７０により取込孔１１７Ｈを閉塞する構造となっている（図１２）。このためリジェクト収納庫１１７においてシャッタ１７０に対し後方へ向かう力を加えるには、該シャッタ１７０の上面に対し下方へ力を加えて摩擦力を作用させながら後方へ力を加える必要、すなわち外力Ｆ１を加えた上で外力Ｆ２を加える必要がある（図１３）。そうするとリジェクト収納庫１１７では、上述したように、シャッタ１７０のシャッタ突出部１７２を接続窪み底部１６６と当接させて接続窪み突出部１６７と干渉させるため、該シャッタ１７０が外力Ｆ１及びＦ２により不正に開放されることを効果的に防止できる。
【０１０７】
またリジェクト収納庫１１７は、シャッタ１７０に外力Ｆ１が加えられていない状態において、シャッタ突出部１７２の下端を接続窪み突出部１６７の上端よりも上側に位置させるようにした（図１２）。このためリジェクト収納庫１１７は、紙幣出金機１０１に対し着脱されることによりシャッタ１７０を開閉させる場合には、シャッタ突出部１７２を接続窪み突出部１６７と干渉させること無く、円滑にスライドさせることができる。
【０１０８】
これに加えてリジェクト収納庫１１７は、第１の実施の形態によるリジェクト収納庫１７と同様の作用効果も奏し得る。
【０１０９】
以上の構成によれば、第２の実施の形態による紙幣出金機１０１のリジェクト収納庫１１７は、蓋体１３２の傾斜面１６３に傾斜面リブ１６８を設けると共に、シャッタ１７０にシャッタ切欠部１７３を設けた。リジェクト収納庫１１７は、シャッタ１７０を前方へ移動させて取込孔１１７Ｈを閉塞したときに、その前端部分を接続窪み１６５及び蓋体上面１６１の境界付近に位置させると共に、各シャッタ切欠部１７３内に各傾斜面リブ１６８を入り込ませる。これによりリジェクト収納庫１１７は、第２収納空間３７Ｓに収納されている紙幣が傾斜面１６３及びシャッタ１７０の隙間から不正に取り出されることを未然に防止できる。
【０１１０】
［３．他の実施の形態］
なお上述した第１の実施の形態においては、左右方向に関して２個のビルストッパ５５の間に相当する位置に、仕切板切欠部３５Ｃ及び第１底部窪み４０Ｄを設ける場合について述べた（図２、図４、図５及び図６）。しかしながら本発明はこれに限らず、左右方向に関する他の位置に仕切板切欠部３５Ｃ及び第１底部窪み４０Ｄを設けても良い。また、仕切板切欠部３５Ｃ及び第１底部窪み４０Ｄの組合せを２組以上設けても良い。特にビルストッパ５５よりも左右の外側に第１底部窪み４０Ｄを設ける場合、第１底部４０との接続部分を形成する稜線の近傍に丸め処理や面取処理等を施すことにより、紙幣の端部が引っ掛かることを効果的に防止できる。
【０１１１】
また上述した第１の実施の形態においては、第１底部４０の上側部分、すなわち収納する紙幣を支持する部分を平面状とする場合について述べた（図２、図４及び図５）。しかしながら本発明はこれに限らず、例えば第２収納部３７の第２底部リブ４７と同様に前後方向に沿った複数のリブを配置し、且つその上端部を後側が高く前側が低くなるよう傾斜させても良い。この場合、リブ同士の間に形成される空間を第１底部窪み４０Ｄと同等に機能させることができる。
【０１１２】
さらに上述した第１の実施の形態においては、仕切板３５の前側に、該仕切板３５の前面と連結された直方体状の支持柱５４を設け、該支持柱５４の前面にビルストッパ５５を設ける場合について述べた（図２、図４、図５及び図６）。しかしながら本発明はこれに限らず、例えば仕切板３５と連結されず第１底部４０から単体として立設された直方体状の支持柱の前面にビルストッパ５５を設けても良い。
【０１１３】
さらに上述した第１の実施の形態においては、ビルストッパ５５を設けた支持柱５４を第１底部４０及び仕切板３５に固定することにより、該ビルストッパ５５を放出部５０等に対し固定する場合について述べた。しかしながら本発明はこれに限らず、例えば支持柱５４を第１底部４０及び仕切板３５から切り離し、スプリング等の弾性部材を介して仕切板３５に取り付けることにより、ビルストッパ５５を放出部５０等に対し揺動可能に構成しても良い。この場合、放出部５０から放出された紙幣がビルストッパ５５に衝突した際に、弾性部材を弾性変形させることによりその衝撃を吸収できるので、第１収納空間３６Ｓ内において該紙幣の姿勢を安定させ、その後舌片ローラ５３により確実に叩き付けて、最終的に整然と集積することができる。
【０１１４】
さらに上述した第１の実施の形態においては、リジェクト収納庫１７において仕切板３５及びビルストッパ５５を収納体３１側に固定する場合について述べた。しかしながら本発明はこれに限らず、例えばビルストッパ５５が前面に形成された支持柱５４を蓋体３２の下面に取り付け、蓋体３２を開放したとき（図３）に支持柱５４及びビルストッパ５５を第１収納空間３６Ｓの外部へ退避させるようにしても良い。さらには、仕切板３５の一部も蓋体３２の下面に取り付け、やはり蓋体３２を開放したときに収納体３１内から外部へ退避させるようにしても良い。これにより、第１収納空間３６Ｓに収納された紙幣をより容易に取り出すことができる。
【０１１５】
さらに上述した第１の実施の形態においては、第２底部リブ４７を前後方向に沿った直線状とする場合について述べた。しかしながら本発明はこれに限らず、例えば第２底部４６に複数のリブを離散的に配置する等、該第２底部４６から上方へ突出した複数の突出部材を適宜設けても良い。この場合、傾斜面６３に沿って後下方向へ摺動してくる紙幣束Ｗが引き続き後方へ進行しようとするため、該紙幣束Ｗの後方への進行を阻害しないよう、上端の形状や配置等を適切に定めることが望ましい。
【０１１６】
さらに上述した第２の実施の形態においては、傾斜面１６３及び蓋体上面１６１の間に接続窪み１６５を設けると共に、シャッタ１７０の前端にシャッタ突出部１７２を設ける場合について述べた（図９及び図１０）。しかしながら本発明はこれに限らず、例えば接続窪み１６５を省略すると共にシャッタ突出部１７２を省略しても良い。この場合、シャッタ１７０を閉塞したときに、該シャッタ１７０の前端を傾斜面１６３に当接させることになる。
【０１１７】
さらに上述した第２の実施の形態においては、シャッタ１７０の前端にシャッタ突出部１７２を設ける場合について述べた。しかしながら本発明はこれに限らず、例えばシャッタ１７０における前端よりも僅かに後側に、下方へ突出したシャッタ突出部を設けても良い。
【０１１８】
さらに上述した第２の実施の形態においては、傾斜面リブ１６８が形成された箇所を除いて、接続窪み突出部１６７を、左右方向の位置に拘わらず同等の形状に構成する場合について述べた（図９及び図１０）。しかしながら本発明はこれに限らず、例えば接続窪み突出部１６７を左右方向に関して傾斜面リブ１６８の近傍にのみ設け、該接続窪み突出部１６７が設けられていない箇所において、接続窪み底部１６６を傾斜面１６３まで延長して接続させても良い。要は、シャッタ１７０に対し下方へ向かう外力Ｆ１及び後方へ向かう外力Ｆ２が加えられた場合に（図１３）、該シャッタ１７０のシャッタ突出部１７２における少なくとも一部分を接続窪み突出部１６７と干渉させることにより、取込孔１１７Ｈを閉塞した状態を維持できれば良い。
【０１１９】
さらに上述した第２の実施の形態においては、シャッタ１７０により取込孔１１７Ｈを閉塞した場合（図１２）、さらに外力Ｆ１が加えられた場合に（図１３）、シャッタ切欠部１７３を傾斜面リブ１６８に当接させないようにした場合について述べた。具体的には、シャッタ切欠部後辺１７３Ｒから傾斜面リブ基準点１６８Ｐまでの距離Ｌ２をシャッタ突出部１７２の下端から接続窪み底部１６６までの距離Ｌ３よりも大きく設定した。しかしながら本発明はこれに限らず、例えば傾斜面リブ１６８が強固であり損傷のおそれが無い場合や、損傷したとしても紙幣束Ｗの摺動に影響を及ぼさない場合等に、距離Ｌ２を距離Ｌ３と同等以下としても良い。
【０１２０】
さらに上述した第２の実施の形態においては、左右方向に関して接続窪み１６５の接続窪み底部１６６を平坦に形成すると共にシャッタ１７０におけるシャッタ突出部１７２の下端を平坦に形成する場合について述べた。しかしながら本発明はこれに限らず、接続窪み底部１６６及びシャッタ突出部１７２の下端をそれぞれ種々の形状としても良い。要は、要は、シャッタ１７０に対し下方へ向かう外力Ｆ１が加えられた場合に（図１３）、シャッタ突出部１７２の下端における少なくとも一部を接続窪み底部１６６における少なくとも一部と当接させることにより外力Ｆ１を受け止めることができれば良い。そのうえで、シャッタ１７０に外力Ｆ２が加えられた場合に（図１３）、シャッタ突出部１７２の下端における少なくとも一部を接続窪み突出部１６７の少なくとも一部と干渉させて後方へのスライドを阻止できれば良い。
【０１２１】
さらに上述した第１の実施の形態においては、紙葉状の媒体である紙幣を束状に集積して出金する紙幣出金機１において、リジェクト紙幣及び取忘紙幣を互いに異なる収納空間にそれぞれ収納するリジェクト収納庫１７に本発明を適用する場合について述べた。しかしながら本発明はこれに限らず、例えば証券や金券、或いは商品券や入場券等、種々の紙葉状の媒体を集積してなる媒体束を取り扱う種々の装置において、２種類の媒体を区別した状態でそれぞれ内部に収納する収納庫に適用しても良い。
【０１２２】
さらに本発明は、上述した各実施の形態及び他の実施の形態に限定されるものではない。すなわち本発明は、上述した各実施の形態と上述した他の実施の形態の一部又は全部を任意に組み合わせた実施の形態や、一部を抽出した実施の形態にもその適用範囲が及ぶものである。
【０１２３】
さらに上述した第１の実施の形態においては、収納体としての収納体３１と、仕切板としての仕切板３５と、蓋体としての蓋体３２と、第１底部としての第１底部４０と、放出部としての放出部５０と、ビルストッパとしてのビルストッパ５５と、仕切板切欠部としての仕切板切欠部３５Ｃと、第１底部窪みとしての第１底部窪み４０Ｄとによって媒体収納装置としてのリジェクト収納庫１７を構成する場合について述べた。しかしながら本発明はこれに限らず、その他種々の構成でなる収納体と、仕切板と、蓋体と、第１底部と、放出部と、ビルストッパと、仕切板切欠部と、第１底部窪みとによって媒体収納装置を構成しても良い。
【０１２４】
さらに上述した第１の実施の形態においては、搬送部としての搬送部１３と、鑑別部としての鑑別部１４と、束搬送部としての束搬送ユニット３と、媒体収納庫としてのリジェクト収納庫１７とにより媒体処理装置としての紙幣出金機１を構成する場合について述べた。この場合、媒体収納庫は、収納体としての収納体３１と、仕切板としての仕切板３５と、蓋体としての蓋体３２と、第１底部としての第１底部４０と、放出部としての放出部５０と、ビルストッパとしてのビルストッパ５５と、仕切板切欠部としての仕切板切欠部３５Ｃと、第１底部窪みとしての第１底部窪み４０Ｄとにより構成した。しかしながら本発明はこれに限らず、その他種々の構成でなる搬送部と、鑑別部と、束搬送部と、媒体収納庫とにより媒体処理装置を構成しても良い。この場合、その他種々の構成でなる収納体と、仕切板と、蓋体と、第１底部と、放出部と、ビルストッパと、仕切板切欠部と、第１底部窪みとによって媒体収納庫を構成しても良い。
【産業上の利用可能性】
【０１２５】
本発明は、例えば利用者の操作に応じて紙幣を束状に集積して出金する紙幣出金機で利用できる。
【符号の説明】
【０１２６】
１、１０１……紙幣出金機、２……収納ユニット、３……束搬送ユニット、３Ｙ……束搬送路、１０……収納筐体、１３……搬送部、１４……鑑別部、１５……切替部、１７、１１７……リジェクト収納庫、１７Ｈ……取込孔、１７Ｕ……通過孔、２６……出金口、３１……収納体、３１Ｈ……連通孔、３２、１３２……蓋体、３３……回動部、３５……仕切板、３５Ｃ……仕切板切欠部、３６……第１収納部、３６Ｓ……第１収納空間、３７……第２収納部、３７Ｓ……第２収納空間、４０……第１底部、４０Ｄ……第１底部窪み、４２……第１上保護部、４６……第２底部、４７……第２底部リブ、５０……放出部、５３……舌片ローラ、５４……支持柱、５５……ビルストッパ、６１、１６１……蓋体上面、６２……案内空間、６３、１６３……傾斜面、７０……シャッタ、１０１……紙幣出金機、１１７……リジェクト収納庫、１１７Ｈ……取込孔、１１７Ｕ……通過孔、１６５……接続窪み、１６６……接続窪み底部、１６７……接続窪み突出部、１６８……傾斜面リブ、１７０……シャッタ、１７１……本体部、１７２……シャッタ突出部、１７３……シャッタ切欠部、Ｗ……紙幣束。
【図１】
2017151567.tif 000003
【図２】
2017151567.tif 000004
【図３】
2017151567.tif 000005
【図４】
2017151567.tif 000006
【図５】
2017151567.tif 000007
【図６】
2017151567.tif 000008
【図７】
2017151567.tif 000009
【図８】
2017151567.tif 000010
【図９】
2017151567.tif 000011
【図１０】
2017151567.tif 000012
【図１１】
2017151567.tif 000013
【図１２】
2017151567.tif 000014
【図１３】
2017151567.tif 000015